(57)【要約】    【課題】  ＬＥＤの放熱性がよく、コストが安く、組立が容易な、車両用のＬＥＤ灯具を提供する。    【解決手段】  長手方向に所定の間隔をおいて多数のＬＥＤ２２を実装したフラットケーブル２０と、このＬＥＤ実装フラットケーブルを、ＬＥＤを外側に向けて環状に支持する環状支持枠１８とを備えている。フラットケーブル２０は一方の端部が環状支持枠１８の中央部に位置するように折り曲げられており、環状支持体の中央部に位置するフラットケーブル２０の端部にもＬＥＤ２２が実装されている。環状支持枠１８にはＬＥＤを位置決めする凹部２４が形成されており、フラットケーブル２２は環状支持枠１８の内側に沿って配線され、ＬＥＤ２２が凹部２４に嵌め込まれて環状支持体１８の外側に突出している。【選択図】    図１
2005251533.tif 000002
【特許請求の範囲】
【請求項１】
長手方向に所定の間隔をおいて多数のＬＥＤを実装したフラットケーブルと、このＬＥＤ実装フラットケーブルを、ＬＥＤを外側に向けて環状に支持する環状支持体とを備えていることを特徴とするＬＥＤ灯具。
【請求項２】
請求項１記載のＬＥＤ灯具であって、フラットケーブルは、平行配置された２条のフラット導体に一括絶縁被覆を施したものからなり、前記フラット導体の一部に切断部を設けることで、複数のＬＥＤが並列接続された回路が複数組直列に接続された並直列回路が構成されていることを特徴とするＬＥＤ灯具。
【請求項３】
請求項１又は２記載のＬＥＤ灯具であって、フラットケーブルはその一部が環状支持体の中央部に位置するように折り曲げられており、環状支持体の中央部に位置するフラットケーブルにもＬＥＤが実装されていることを特徴とするＬＥＤ灯具。
【請求項４】
請求項１ないし３のいずれかに記載のＬＥＤ灯具であって、環状支持体にはＬＥＤを位置決めする凹部又は窓が形成されており、フラットケーブルは環状支持体の内側に沿って配線され、ＬＥＤは前記凹部又は窓に嵌め込まれて環状支持体の外側に突出していることを特徴とするＬＥＤ灯具。
【請求項５】
請求項１ないし３のいずれかに記載のＬＥＤ灯具であって、環状支持体はベース上に立設された多数のガイド片からなり、フラットケーブルはこれらのガイド片の内側と外側を交互に通るように配線され、ＬＥＤはフラットケーブルがガイド片の外側を通る位置に実装されていることを特徴とするＬＥＤ灯具。
【請求項６】
請求項１ないし３のいずれかに記載のＬＥＤ灯具であって、環状支持体はベース上に環状に立設された多数のガイド片からなり、フラットケーブルはこれらのガイド片の内側と外側を交互に通るように配線され、ＬＥＤはフラットケーブルがガイド片の内側を通る位置に実装され、フラットケーブルが内側を通るガイド片にはＬＥＤをガイド片の外側に突出させる凹部又は窓が形成されていることを特徴とするＬＥＤ灯具。
【請求項７】
長手方向に所定の間隔をおいて多数のＬＥＤを実装したフラットケーブルと、このＬＥＤ実装フラットケーブルを、ＬＥＤを外側に向けてらせん状に形成した状態で収納する筒状支持体とを備え、筒状支持体には各ＬＥＤを筒状支持体の外側に突出させる窓が形成されていることを特徴とするＬＥＤ灯具。
【請求項８】
長手方向に所定の間隔をおいて多数のＬＥＤを実装したフラットケーブルと、このＬＥＤ実装フラットケーブルを、ＬＥＤを内側に向けてらせん状に形成した状態で収納する筒状支持体とを備え、筒状支持体内にはＬＥＤの光を反射する反射鏡が設置され、筒状支持体には反射鏡で反射した光を筒状支持体外に放射する穴が形成されていることを特徴とするＬＥＤ灯具。
【請求項９】
請求項７又は８記載のＬＥＤ灯具であって、フラットケーブルにＬＥＤの点滅制御回路が接続されていることを特徴とするＬＥＤ灯具。
【請求項１０】
請求項９記載のＬＥＤ灯具であって、ＬＥＤの点滅制御回路は筒状支持体の周方向にＬＥＤを順次点滅させていくものであることを特徴とするＬＥＤ灯具。
【発明の詳細な説明】
【技術分野】
【０００１】
本発明は、光源として多数のＬＥＤを環状又はらせん状に配置したＬＥＤ灯具に関するものである。
【背景技術】
【０００２】
自動車のフロント部やリア部のランプには多数のＬＥＤが使用されており、その給電用配線材としては、電線、バスバー、プリント回路基板などが使用されている。例えば特許文献１には、多数のＬＥＤを立体的階段状に配置し、通常の電線（丸電線）で接続した車両用灯具が開示されている。
【０００３】
また、車両用ＬＥＤ灯具としては、車体デザインや視認性の点から、多数のＬＥＤを環状に配置し、その周囲に集光用のリフレクターを配置したものも実用化されている。このＬＥＤ灯具は、環状固定枠の外周面に多数のバスバーを周方向に間隔をあけて固定し、隣り合うバスバーに跨るようにＬＥＤを接続することでＬＥＤを３個ずつ直列接続し、バスバーを回路基板に半田付け接続することで上記ＬＥＤの直列回路を並列接続する構造となっている。ＬＥＤのリードとバスバーとの接続は冷間接合により行っている。
【０００４】
またＬＥＤは、パトロールカーや救急車の警告灯、道路工事中の警告灯（作業標識）にも使用されている（特許文献２、３参照）。これらの警告灯の場合もＬＥＤの接続には一般にビニル絶縁電線などの丸電線が使用されている。
【０００５】
【特許文献１】特開２００２−２４５８１２号公報
【特許文献２】特開平６−３３３４０３号公報
【特許文献３】実開平５−１２３５３号公報
【発明の開示】
【発明が解決しようとする課題】
【０００６】
一般に灯具としてのＬＥＤは発熱体であり、安定した発光を維持するためには、ある程度の放熱が必要である。ＬＥＤの放熱手段としては、ＬＥＤで発生した熱をＬＥＤの給電導体に逃して放熱するのが効果的である。しかし丸電線は導体断面積の割りに表面積が小さいため放熱性がよくない。
【０００７】
一方、バスバーは、丸電線よりも放熱性はよいが、金属板を複雑な形状に加工しなければならないためコストが高く、また多数のバスバーを環状に固定したり、回路基板に半田付けしたりする必要があるため灯具の組立に多くの手間がかかるという問題がある。
【０００８】
またパトロールカー等の緊急車両用の警告灯の場合は、警告灯が点滅しているように見せるため回転反射鏡を使用しており、その駆動源としてモーターを使用するため、装置が大型化、複雑化するという問題がある。
【０００９】
本発明の第一の目的は、ＬＥＤの放熱性がよく、コストが安く、組立が容易なＬＥＤ灯具を提供することにある。
【００１０】
本発明の他の目的は、小型で構造簡単なＬＥＤ灯具を提供することにある。
【課題を解決するための手段】
【００１１】
本発明に係るＬＥＤ灯具は、長手方向に所定の間隔をおいて多数のＬＥＤを実装したフラットケーブルと、このＬＥＤ実装フラットケーブルを、ＬＥＤを外側に向けて環状に支持する環状支持体とを備えていることを特徴とするものである。
【００１２】
本発明に係るＬＥＤ灯具は、フラットケーブルが、平行配置された２条のフラット導体に一括絶縁被覆を施したものからなり、前記フラット導体の一部に切断部を設けることで、複数のＬＥＤが並列接続された回路が複数組直列に接続された並直列回路が構成されているものであることが好ましい。
【００１３】
また本発明に係るＬＥＤ灯具は、フラットケーブルが一方の端部が環状支持体の中央部に位置するように折り曲げられており、環状支持体の中央部に位置するフラットケーブルの端部にもＬＥＤが実装されているものであることが好ましい。
【００１４】
また本発明に係るＬＥＤ灯具は、環状支持体にＬＥＤを位置決めする凹部又は窓が形成されており、フラットケーブルが環状支持体の内側に沿って配線され、ＬＥＤが前記凹部又は窓に嵌め込まれて環状支持体の外側に突出しているものであることが好ましい。
【００１５】
また本発明に係るＬＥＤ灯具は、環状支持体がベース上に立設された多数のガイド片からなり、フラットケーブルがこれらのガイド片の内側と外側を交互に通るように配線され、ＬＥＤはフラットケーブルがガイド片の外側を通る位置に実装されているものとすることもできる。
【００１６】
また本発明に係るＬＥＤ灯具は、環状支持体がベース上に環状に立設された多数のガイド片からなり、フラットケーブルがこれらのガイド片の内側と外側を交互に通るように配線され、ＬＥＤはフラットケーブルがガイド片の内側を通る位置に実装され、フラットケーブルが内側を通るガイド片にはＬＥＤをガイド片の外側に突出させる凹部又は窓が形成されているものとすることもできる。
【００１７】
また本発明に係る警告用ＬＥＤ灯具は、長手方向に所定の間隔をおいて多数のＬＥＤを実装したフラットケーブルと、このＬＥＤ実装フラットケーブルを、ＬＥＤを外側に向けてらせん状に形成した状態で収納する筒状支持体とを備え、筒状支持体には各ＬＥＤを筒状支持体の外側に突出させる窓が形成されていることを特徴とするものである。
【００１８】
また本発明に係る警告用ＬＥＤ灯具は、長手方向に所定の間隔をおいて多数のＬＥＤを実装したフラットケーブルと、このＬＥＤ実装フラットケーブルを、ＬＥＤを内側に向けてらせん状に形成した状態で収納する筒状支持体とを備え、筒状支持体内にはＬＥＤの光を反射する反射鏡が設置され、筒状支持体には反射鏡で反射した光を筒状支持体外に放射する穴が形成されているものとすることもできる。
【００１９】
また本発明に係る警告用ＬＥＤ灯具は、フラットケーブルにＬＥＤの点滅制御回路が接続されているものであることが好ましい。
【００２０】
また本発明に係る警告用ＬＥＤ灯具において、上記ＬＥＤの点滅制御回路は筒状支持体の周方向にＬＥＤを順次点滅させていくものであることが好ましい。
【発明の効果】
【００２１】
本発明に係るＬＥＤ灯具は、多数のＬＥＤを実装したフラットケーブルを環状支持体に組み付けることで組み立てることができるので、組立が簡単である。またフラットケーブルは柔軟性があり、折り曲げもできるため、環状支持体への組み付けのために複雑な加工をする必要がなく、コスト安である。またフラットケーブルを使用しているため、丸電線に比べ放熱性がよく、ＬＥＤの発生熱を効率よく放熱し、温度上昇を抑制することができる。
【００２２】
また本発明に係る警告用ＬＥＤ灯具は、多数のＬＥＤを実装したフラットケーブルを筒状支持体にらせん状に組み込むことで組み立てることができ、組立の際にＬＥＤ間の配線作業を必要としないので、組立が簡単で、コスト安である。またＬＥＤを周方向に順次点滅させるようにすれば、従来のような回転反射鏡や駆動モーター等を必要とせず、全体をコンパクトに構成できると共に、コスト安である。またフラットケーブルを使用しているため、丸電線に比べ放熱性がよく、ＬＥＤの発生熱を効率よく放熱し、温度上昇を抑制することができる。
【発明を実施するための最良の形態】
【００２３】
〔実施形態１〕  図１〜図５は本発明に係るＬＥＤ灯具の一実施形態を示す。このＬＥＤ灯具は、図１に示すように、灯具本体１０と、リフレクター１２と、回路基板１４とから構成される。
【００２４】
灯具本体１０は、片面に環状支持枠１８が一体に形成されたベース１６と、長手方向に適当な間隔をおいて多数のＬＥＤ２２を実装したフラットケーブル２０とから構成されている。環状支持枠１８にはＬＥＤ２２を位置決めする凹部２４が周方向に所定の間隔で形成されている。フラットケーブル２０は環状支持枠１８の内側に沿って環状に配線されており、この状態でＬＥＤ２２は環状支持枠１８の凹部２４に嵌め込まれるようになっている。ＬＥＤ２２の頭部は図２に示すように環状支持枠１８の外に突出している。
【００２５】
フラットケーブル２０は、一方の端部が環状支持枠１８の中央部に位置するように折り曲げられており、このフラットケーブル２０の一方の端部にもＬＥＤ２２（センターライト用）が実装されている。環状支持枠１８の中央部のベース１６上には台２５が一体に形成され、前記フラットケーブル２０の一方の端部は、この台２５上に接着等により固定されている。
【００２６】
フラットケーブル２０は図３及び図４に示すように、平行配置された２条のフラット導体２６に一括絶縁被覆２８を施したものである。フラット導体２６は例えば厚さ0.15mm、幅5.2mmの銅テープよりなり、絶縁被覆２８はポリエチレンテレフタレートフィルムよりなる。各ＬＥＤ２２は２条のフラット導体２６に跨るように実装されている。この実施形態では、３個のＬＥＤ２２が並列接続された回路が直列接続されるように、２条のフラット導体２６に交互に切断部３０が設けられている。これによりＬＥＤ２２の接続回路は図３（Ｂ）のような構成となる。またフラット導体が３条以上のフラットケーブルを使用すれば、フラット導体の適当箇所に切断部を設けることで、複数（通常は３個）のＬＥＤを直列接続した回路を複数組並列接続した直並列回路を構成することもできる。
【００２７】
なお図３（Ａ）において、２点鎖線Ｌはフラットケーブル２０の折り曲げ線である。フラットケーブル２０はこの線Ｌで折り曲げられて、一方の端部が環状支持枠１８の中央部に位置するように配線されている。フラットケーブル１２の両端にはリード線３２が接続されている。このリード線３２は図１に示すように、ベース１６を貫通して（又はベース１６の縁を回り込んで）回路基板１４に接続され、この回路基板１４を介して電源に接続されるようになっている。なお、このリード線３２を省いて、フラットケーブル１２を延長して回路基板１４に直接ピアッシング等の方法で接続することもできる。
【００２８】
フラットケーブル２０とＬＥＤ２２は図４のように接続されている。すなわち、ＬＥＤ２２の板状リード３４をフラットケーブル２０のフラット導体２６上に絶縁被覆２８を剥離することなく重ね合わせ、板状リード３４に図５に示すような突き刺し型接続子３６を跨らせて、その突き刺し片３８をフラット導体２６に突き刺し貫通させ、フラットケーブル２０の裏側で突き刺し片３８を内側に曲成してかしめると共に、接続子３６の背板部と板状リード３４とフラット導体２６の重ね合わせ部に平行な２条のせん断部４０を設けて、せん断部４０の間をフラットケーブル２０側へ押し込むことにより、接続されている。このようにすると、板状リード３４とフラット導体２６が接続子３６により強固に接続されると共に、せん断部４０で酸化されていない板状リード３４のせん断面（新生面）とフラット導体２６のせん断面（新生面）とが直接接触するため、良好な電気的接続状態が得られる。板状リード３４と接続子３６は、予め接合しておいてもよいし、突き刺し片３８をフラットケーブル２０の突き刺すと同時に、又は突き刺してかしめた後に、せん断接合してもよい。
【００２９】
フラットケーブル２０とＬＥＤ２２を上記のように接続すると、板状リード３４からフラット導体２６への熱伝導性がよく、フラットケーブル２０も放熱性がよく、接続子３６がヒートシンクとして作用することから、同じ通電許容電流をもつ従来の丸電線やバスバーを使用した場合に比べ、約２０〜３０％温度上昇を抑える効果があることが、実験で確かめられた。
【００３０】
上記のように構成された灯具本体１０には、図１に示すように、リフレクター１２が組み付けられる。リフレクター１２の下部には固定柱４２及び係止突起４４が突設されており、この固定柱４２及び係止突起４４をベース１６の嵌合穴４６及び係止穴４８に挿入することで、リフレクター１２がベース１６に固定されるようになっている。リフレクター１２をベース１６に組み付けると、各ＬＥＤ２２がリフレクター１２の穴５０から突出する。ＬＥＤ２２で発生した光は、リフレクター１２の反射鏡５２で反射して前方へ投光される。またフラットケーブル２０の一方の端部に実装されたセンターライト用のＬＥＤ２２は、リフレクター１２の透明なレンズ体５４の下に位置し、そこで発生した光はレンズ体５４の周囲に設けられた反射鏡５６で反射して前方へ投光される。
【００３１】
〔実施形態２〕  図６は本発明に係るＬＥＤ灯具の他の実施形態を示す。図６は灯具本体１０のみを示し、リフレクター及び回路基板は構造が同じであるので図示を省略してある。この実施形態では、フラットケーブル２０を支持する環状支持体が、ベース１６上に千鳥配置で環状に立設された多数のガイド片５８Ａ、５８Ｂで構成され、フラットケーブル２０はこれらのガイド片５８Ａ、５８Ｂの内側と外側を交互に通るようにして環状に配線され、ＬＥＤ２２はフラットケーブル２０がガイド片５８Ｂの外側を通る位置に実装されているものである。それ以外の構成は実施形態１と同じであるので、同一部分には同一符号を付して説明を省略する。
【００３２】
なおガイド片５８Ａ、５８Ｂは、図７に示すように、フラットケーブル２０が波打つように配置することもできる。このようにすると、フラットケーブル２０が真っ直ぐになろうとする弾性復元力でより強くガイド片５８Ａ、５８Ｂに押し付けられるため、ガイド片５８Ａ、５８Ｂによるフラットケーブル２０の保持力を大きくできる。
【００３３】
〔実施形態３〕  図８は本発明に係るＬＥＤ灯具のさらに他の実施形態を示す。図８も灯具本体１０のみを示し、リフレクター及び回路基板は図示を省略してある。この実施形態も、ベース１６上に千鳥配置で環状に立設された多数のガイド片５８Ａ、５８Ｂで構成され、フラットケーブル２０がこれらのガイド片５８Ａ、５８Ｂの内側と外側を交互に通って環状に配線されているものである。この実施形態が実施形態２と異なる点は、フラットケーブル１２がガイド片５８Ａの内側を通る位置にＬＥＤ２２が実装されており、当該ガイド片５８ＡにはＬＥＤ２２をガイド片５８Ａの外に突出させる窓６０が形成されていることである。それ以外の構成は実施形態１と同じであるので、同一部分には同一符号を付して説明を省略する。
【００３４】
〔実施形態４〕  図９及び図１０は本発明に係る警告用ＬＥＤ灯具の一実施形態を示す。この警告用ＬＥＤ灯具は図９に示すように、長手方向に適当な間隔をおいて多数のＬＥＤ２２を実装したフラットケーブル２０と、有底の筒状支持体６２と、蓋体６４とから構成されている。
【００３５】
フラットケーブル２０は、図１０に示すように、平行配置された２条のフラット導体２６に一括絶縁被覆２８を施したものである。フラット導体２６は例えば厚さ0.15mm、幅5.2mmの銅テープよりなり、絶縁被覆２８はポリエチレンテレフタレートフィルムよりなる。各ＬＥＤ２２は２条のフラット導体２６に跨るように実装されている。ＬＥＤ２２は全て並列に接続されていてもよいが、図３のように、２条のフラット導体２６に交互に切断部を設けることにより、例えば３個のＬＥＤ２２が並列接続され、この並列接続回路が直列接続されるように、接続されていてもよい。
【００３６】
フラットケーブル２０とＬＥＤ２２は図１０のように接続されている。すなわち、ＬＥＤ２２の板状リード３４をフラットケーブル２０のフラット導体２６上に絶縁被覆２８を剥がすに重ね合わせ、板状リード３４に図５に示したような接続子３６を跨らせて、その突き刺し片３８をフラット導体２６に突き刺し貫通させ、フラットケーブル２０の裏側で突き刺し片３８を内側に曲成してかしめることにより、接続されている。またフラットケーブル２０とＬＥＤ２２は図４のように接続してもよい。ＬＥＤ２２を実装したフラットケーブル２０は図９（Ｂ）に示すようにらせん状に成形される。
【００３７】
筒状支持体６２は、ＬＥＤ２２を実装したらせん状のフラットケーブル２０を収納するものである。筒状支持体６２の周壁には、らせん状のフラットケーブル２０に実装されたＬＥＤ２２に対応して窓６０が形成されている。ＬＥＤ２２はこの窓６０に嵌め込まれて位置決めされ、その頭部が筒状支持体６２の外に突出するようになっている。また筒状支持体６２の周壁には、開口端から上下の窓６０を通るように複数本のスリット６６が形成されている。このスリット６６は、ＬＥＤ２２を実装したらせん状のフラットケーブル２０を筒状支持体６２に収納するときに、筒状支持体６２を拡径して、収納作業を容易にするためのものである。なお、らせん状のフラットケーブル２０は縮径可能であるので、縮径した状態で筒状支持体６２に挿入した後、拡径しながらＬＥＤ２２を窓６０に嵌め込むようにすれば、筒状支持体６２を拡径する必要はないので、スリット６６は不要である。
【００３８】
ＬＥＤ２２を実装したフラットケーブル２０を筒状支持体６２に収納した後、筒状支持体６２の開口端を蓋体６４で塞げば、図９（Ａ）に示すような警告用ＬＥＤ灯具が完成する。フラットケーブル２０の端部は、筒状支持体６２の外に引き出され、ＬＥＤ２２の点滅制御回路（図示せず）に接続される。この警告用ＬＥＤ灯具は、構造的にシンプルであり、簡単に組み立てることができるので、コストが安く、コンパクトである。
【００３９】
またこの実施形態の警告用ＬＥＤ灯具は、筒状支持体６２として細長いものを使用し、その中にほぼ全長にわたってらせん状ＬＥＤ実装フラットケーブルを収納し、これ全体を透明チューブに収納した構造とすれば、道路工事中の警告灯や踏切遮断機用警告灯としても使用可能である。
【００４０】
〔実施形態５〕  図１１は本発明に係る警告用ＬＥＤ灯具の他の実施形態を示す。図１１では、ＬＥＤ２２を実装したフラットケーブル２０のみを示したが、このフラットケーブル２０も実施形態４と同様、らせん状に成形されて筒状支持体に収納されるものである。この実施形態で使用するフラットケーブル２０は、２本１組のフラット導体２６を複数組有している。このフラットケーブル２０には、長手方向に所定の間隔をおいて、複数組のフラット導体２６に順次繰り返してＬＥＤ２２が接続されている。ＬＥＤ２２はフラットケーブル２０をらせん状に形成して筒状支持体に収納したときに、筒状支持体の窓に嵌め込まれて周方向に所定の間隔で配置されるように、フラットケーブル２０に実装されている。
【００４１】
またフラットケーブル２０には、ＬＥＤ２２の点滅制御回路６８が接続されている。点滅制御回路６８はフレキシブルプリント回路７０に電子部品７２を実装したものである。フレキシブルプリント回路７０の回路導体とフラットケーブル２０のフラット導体２６とは、図５に示すような突き刺し型接続子を用いて接続することができる。点滅制御回路６８は、多数のＬＥＤ２２を同時に点滅させたり、順次点滅させたりすることができる。多数のＬＥＤ２２を周方向に順次点滅させれば、回転反射鏡やモーターを用いることなく、従来の回転警告灯と同様な警告発光を行うことができる。
【００４２】
〔実施形態６〕  図１２は本発明に係るＬＥＤ灯具のさらに他の実施形態を示す。このＬＥＤ灯具は、警告用灯具などに用いることができ、長手方向に所定の間隔をおいて多数のＬＥＤ２２を実装したフラットケーブル２０と、このフラットケーブル２０を、ＬＥＤ２２を内側に向けてらせん状に形成した状態で収納する筒状支持体６２とを備えている。筒状支持体６２内にはＬＥＤ２２の光を筒状支持体６２の外に向けて反射させる両面反射鏡７４が設置され、筒状支持体６２には反射鏡７４で反射した光を筒状支持体６２の外に放射する穴７６が形成されている。また筒状支持体６２の内面にも反射層が設けられている。フラットケーブル２０として図１１のようなフラットケーブルを使用し、図１１と同様にＬＥＤを実装し、点滅制御回路を接続すれば、このような構造でも、回転反射鏡やモーターを用いることなく、従来の回転警告灯と同様な警告発光を行うことができる。
【００４３】
〔ＬＥＤとフラットケーブルの接続構造について〕  ところで、ＬＥＤは点灯によって発熱するので、その熱をある程度放散する対策をとる必要がある。ＬＥＤの放熱は通常、空冷による他、配線材に熱を逃がすことで行っている。したがってＬＥＤの放熱性は、配線材の種類と、配線材とＬＥＤの接続構造によって異なってくる。
【００４４】
図１３は、ＬＥＤ２２を接続する回路導体及びその接続方法を変えて回路導体の温度上昇値を測定した場合の、測定箇所を示したものである。（Ａ）は配線材としてフラットケーブル２０を用い、ＬＥＤ２２のリード３４を図１０のように突き刺し型接続子３６でフラット導体２６に接続した場合である。（Ｂ）は配線材としてフラットケーブル２０を用い、ＬＥＤ２２のリード３４をフラット導体２６に半田付け７８で接続した場合である。（Ｃ）は配線材としてビニル絶縁電線８０を用い、ＬＥＤ２２のリード３４と電線８０の導体を圧接接続した場合である。フラットケーブル２０のフラット導体２６は銅で、厚さ0.15mm、幅5.2mmである。電線８０の導体も銅で、その断面積はフラット導体２６の断面積より大きい0.85mm2である。温度測定箇所は、ＬＥＤのカソード側リードが接続された箇所Ｌ＝０mmと、そこから長手方向にＬ＝25mm、50mm、100mm、200mm離れた各点である。
【００４５】
図１４は上記の各回路に定格電流150mAを流した場合の平衡時の温度上昇値を、各測定箇所で測定した結果を示すグラフである。このグラフによれば、同じフラットケーブル（ＦＦＣ）を用いた場合でも、突き刺し型接続子による接続では半田付けによる接続に比べ温度上昇が低くなっていることが分かる。これは、突き刺し型接続子が電気的接続機能のほかにヒートシンク的機能を有し、半田付けに比較して温度上昇を低く抑えているためと考えられる。またフラットケーブルは、導体断面積の大きいビニル絶縁電線に比べても、温度上昇が低くなっていることも分かる。この現象は、フラットケーブルの絶縁被覆が熱を溜めるのではなく、熱を伝導して、その多くを拡散放熱していることによるものと考えられる。この実験結果から、フラットケーブルにＬＥＤのリードを突き刺し型接続子で接続した構造は、他の接続構造に比べ放熱性に優れていることが確認された。また図４のように、突き刺し型接続子による接続と、せん断接続とを併用すれば、さらに放熱性が向上することは明らかである。
【図面の簡単な説明】
【００４６】
【図１】本発明に係るＬＥＤ灯具の一実施形態を示す分解斜視図。
【図２】図１のＬＥＤ灯具における灯具本体の平面図。
【図３】図１のＬＥＤ灯具に用いたＬＥＤ実装フラットケーブルの、（Ａ）は平面展開図、（Ｂ）は回路図。
【図４】図１のＬＥＤ灯具におけるＬＥＤとフラットケーブルの接続構造を示す、（Ａ）は平面図、（Ｂ）は（Ａ）のＢ−Ｂ線断面図、（Ｃ）は（Ａ）のＣ−Ｃ線断面図。
【図５】図４の接続構造に用いた突き刺し型接続子を示す、（Ａ）は平面図、（Ｂ）は正面図、（Ｃ）は側面図。
【図６】本発明に係るＬＥＤ灯具の他の実施形態を示す、灯具本体の平面図。
【図７】本発明に係るＬＥＤ灯具のさらに他の実施形態を示す、灯具本体の平面図。
【図８】本発明に係るＬＥＤ灯具のさらに他の実施形態を示す、（Ａ）は灯具本体の平面図、（Ｂ）は要部の斜視図。
【図９】本発明に係る警告用ＬＥＤ灯具の一実施形態を示す、（Ａ）は斜視図、（Ｂ）は分解斜視図。
【図１０】図９の警告用ＬＥＤ灯具におけるＬＥＤとフラットケーブルの接続構造を示す、（Ａ）は平面図、（Ｂ）は側面図、（Ｃ）は底面図、（Ｄ）は（Ｂ）のＤ−Ｄ線断面図。
【図１１】本発明に係る警告用ＬＥＤ灯具に用いられるＬＥＤ実装フラットケーブルの他の例を示す平面図。
【図１２】本発明に係る警告用ＬＥＤ灯具の他の実施形態を、蓋体を外した状態で示す平面図。
【図１３】（Ａ）はフラットケーブルにＬＥＤを突き刺し型接続子で接続した場合、（Ｂ）はフラットケーブルにＬＥＤを半田付け接続した場合、（Ｃ）はビニル絶縁電線にＬＥＤを圧接接続した場合の、温度上昇測定箇所を示す平面図。
【図１４】図１３の各場合について、各測定箇所で温度上昇を測定した結果を示すグラフ。
【符号の説明】
【００４７】
１０：灯具本体
１２：リフレクター
１４：回路基板
１６：ベース
１８：環状支持枠
２０：フラットケーブル
２２：ＬＥＤ
２４：凹部
２６：フラット導体
２８：絶縁被覆
３０：切断部
３４：板状リード
３６：突き刺し型接続子
３８：突き刺し片
４０：せん断部
５０：穴
５２、５６：反射鏡
５８Ａ、５８Ｂ：ガイド片
６０：窓
６２：筒状支持体
６４：蓋体
６８：点滅制御回路
７４：両面反射鏡
７６：穴
【図１】
2005251533.tif 000003
【図２】
2005251533.tif 000004
【図３】
2005251533.tif 000005
【図４】
2005251533.tif 000006
【図５】
2005251533.tif 000007
【図６】
2005251533.tif 000008
【図７】
2005251533.tif 000009
【図８】
2005251533.tif 000010
【図９】
2005251533.tif 000011
【図１０】
2005251533.tif 000012
【図１１】
2005251533.tif 000013
【図１２】
2005251533.tif 000014
【図１３】
2005251533.tif 000015
【図１４】
2005251533.tif 000016